(57)【要約】【課題】コピー動作実施時にも画像に加工線を追加できるようにする。【解決手段】画像処理装置は、原稿の読取を実施して読取画像データを生成する画像読取部１０１と、読取画像データに基づいて輪郭線画像データを生成する輪郭線抽出部１０７と、読取画像データおよび輪郭線画像データに基づいて画像を印刷する画像出力部１０２とを有する。輪郭線画像データを読取画像データと合成して用紙の同一面に印刷したり、輪郭線画像データと読取画像データとを別々に用紙の異なる面に印刷したりすることができる。【選択図】図２
2016174308.tif 000002
【特許請求の範囲】
【請求項１】
画像の読取を実施して読取画像データを生成する画像読取部と、
前記読取画像データに基づいて所定の加工線データを生成する加工線データ生成部と、
前記読取画像データ、および前記加工線データに基づいて画像を印刷する画像出力部と、
を有する画像処理装置。
【請求項２】
請求項１に記載された画像処理装置において、
前記加工線データ生成部は、前記読取画像データに基づいて、輪郭線画像データを生成する画像処理装置。
【請求項３】
請求項１または２に記載された画像処理装置において、
前記読取画像データおよび前記加工線データを合成する合成部を有し、
前記画像出力部は、前記合成部で合成されたデータに基づいて、画像を印刷媒体の片面に印刷する画像処理装置。
【請求項４】
請求項１または２に記載された画像処理装置において、
前記画像出力部は、前記読取画像データに基づく画像と、前記加工線データに基づく画像とを、印刷媒体の異なる面に印刷する画像処理装置。
【請求項５】
請求項３に記載された画像処理装置において、
前記読取画像データと前記加工線データとのタイミングを合わせる手段を有し、前記合成部は、前記タイミングを合わせた読取画像データと加工線データとを合成する画像処理装置。
【請求項６】
請求項４に記載された画像処理装置において、
前記加工線データを格納する加工線データ格納部を有し、前記画像出力部から、前記読取画像データに基づく画像の印刷が完了した通知を受けたことに基づいて、前記加工線データ格納部に格納された画像の転送を開始する画像処理装置。
【請求項７】
請求項２乃至６のいずれかに記載された画像処理装置において、
前記読取画像データに対して、輪郭線の変化する所定の画像処理を実施する機能を備えた画像処理部を有し、前記画像処理部で前記所定の画像処理を実施する場合、前記輪郭線画像データに対しても、前記画像処理部で前記所定の画像処理を実施する画像処理装置。
【請求項８】
請求項１乃至７のいずれかに記載された画像処理装置において、
所定の形状およびサイズを有する画像を読み取り、所定のサイズの印刷媒体にコピーするとき、前記加工線データ生成部は、前記画像のサイズを表す情報および前記印刷媒体上の印刷開始位置を表す情報を生成する画像処理装置。
【請求項９】
画像の読取を実施して読取画像データを生成するステップと、
前記読取画像データに基づいて所定の加工線データを生成するステップと、
前記読取画像データ、および前記加工線データに基づいて画像を印刷するステップと、
を有する画像処理方法。
【請求項１０】
コンピュータを請求項１乃至８のいずれかに記載された画像処理装置の各部として機能させるためのプログラム。
【発明の詳細な説明】
【技術分野】
【０００１】
本発明は、画像処理装置、画像処理方法、およびプログラムに関する。
【背景技術】
【０００２】
印刷物の加工品質を向上させる目的で、印刷物に特定形状の加工線を印字する手法が知られている。すなわち、例えば、特許文献１には、印刷プレビューを用いて所定の画像に対し指定された加工線（切り取り線、谷折り線、山折り線など）を含む印刷データに基づき印刷された印刷物に対し、その加工線に従って所定の加工（切り取り、谷折り、山折りなど）を施すことで、当該加工後の印刷物の仕上がりをよくすることができるようにした画像処理装置が記載されている。
【発明の概要】
【発明が解決しようとする課題】
【０００３】
しかしながら、特許文献１に記載された画像処理装置では、すでに画像データとして存在している画像にしか加工線を追加できないため、コピー動作実施時には加工線の追加ができないという問題がある。
【０００４】
本発明は、このような問題を解決するためになされたものであり、その目的は、コピー動作実施時にも画像に加工線を追加できるようにすることである。
【課題を解決するための手段】
【０００５】
本発明は、画像の読取を実施して読取画像データを生成する画像読取部と、前記読取画像データに基づいて所定の加工線データを生成する加工線データ生成部と、前記読取画像データ、および前記加工線データに基づいて画像を印刷する画像出力部と、を有する画像処理装置である。
【発明の効果】
【０００６】
本発明によれば、コピー動作実施時にも画像に加工線を追加することができる。
【図面の簡単な説明】
【０００７】
【図１】本発明の実施形態に係る画像処理装置のハードウェア構成を示すブロック図である。
【図２】本発明の実施形態に係る画像処理装置の機能構成を示すブロック図である。
【図３】本発明の実施形態に係る画像処理装置のコピー処理を示すフローチャートの一部である。
【図４】本発明の実施形態に係る画像処理装置のコピー処理を示すフローチャートの残りの部分である。
【図５】コピー対象の原稿の一例を示す図である。
【図６】図５に示す原稿画像に対応する加工線の一例を示す図である。
【図７】図５に示す原稿をコピーした時に印刷される画像および加工線の例を示す図である。
【図８】本発明の実施形態に係る画像処理装置が輪郭線画像データを画像処理部に格納し、原稿画像と輪郭線とを用紙の同一面に印刷する場合の画像データの流れを示す図である。
【図９】図８に示す場合の画像データのタイミングチャートである。
【図１０】本発明の実施形態に係る画像処理装置が輪郭線画像データを画像処理部に格納し、原稿画像と輪郭線とを用紙の異なる面に印刷する場合の画像データの流れを示す図である。
【図１１】図１０に示す場合の画像データのタイミングチャートである。
【図１２】本発明の実施形態に係る画像処理装置が輪郭線画像データを画像制御部に格納し、原稿画像と輪郭線とを用紙の同一面に印刷する場合の画像データの流れを示す図である。
【図１３】図１２に示す場合の画像データのタイミングチャートである。
【図１４】本発明の実施形態に係る画像処理装置が輪郭線画像データを画像制御部に格納し、原稿画像と輪郭線とを用紙の異なる面に印刷する場合の画像データの流れを示す図である。
【図１５】図１４に示す場合の画像データのタイミングチャートである。
【図１６】定型サイズの印刷を行う際の輪郭線画像データの処理について説明するための図である。
【発明を実施するための形態】
【０００８】
以下、本発明の実施形態について図面を参照して詳細に説明する。
〈画像処理装置のハードウェア構成〉
図１は、本発明の実施形態に係る画像処理装置のハードウェア構成を示すブロック図である。
【０００９】
図示のように、本発明の実施形態に係る画像処理装置は、読取スキャナ１、プロッタ２、画像エンジン３、コントローラ４、エンジンＣＰＵ（Central Processing Unit）５、オペレーションパネル６、および外部Ｉ／Ｆ（インタフェース）７を備えている。
【００１０】
画像エンジン３は、画像処理ＡＳＩＣ（Application Specific Integrated Circuit）８と、その画像処理ＡＳＩＣ８に接続されたＤＤＲ（Double-Data-Rate Synchronous Random Access Memory）９を内蔵している。
【００１１】
コントローラ４は、画像処理装置全体を制御する制御部として機能し、コントローラＡＳＩＣ１０、コントローラＣＰＵ１１、ＤＤＲ１２からなるメインメモリを内蔵している。
【００１２】
画像処理ＡＳＩＣ８には、読取スキャナ１、プロッタ２、およびエンジンＣＰＵ５が接続されており、コントローラＡＳＩＣ１０には、オペレーションパネル６および外部Ｉ／Ｆ７が接続されている。さらに、画像処理ＡＳＩＣ８とコントローラＡＳＩＣ１０とが接続されている。
【００１３】
読取スキャナ１は、原稿画像（原稿上の画像）などの画像の読取を行うユニットであり、スキャナ動作時、コピー動作時、ファクシミリ送信動作時に原稿を読み取って読取画像データを生成し、画像処理ＡＳＩＣ８に送出する。
【００１４】
プロッタ２は、例えば電子写真方式の記録装置であり、読取画像データや外部から受信した画像データから変換された描画データを画像処理ＡＳＩＣ８から受け取り、画像を印刷媒体としての用紙に印刷して出力する。
【００１５】
エンジンＣＰＵ５は、読取スキャナ１、プロッタ２、および画像エンジン３の動作を制御する。画像処理ＡＳＩＣ８は、ファームウェア等のプログラムが格納されたＲＯＭ（Read Only Memory）を内蔵しており、エンジンＣＰＵ５の制御により、汎用インタフェースを介してコントローラ４と画像エンジン３との間の情報のやり取りを行う。
【００１６】
また、画像処理ＡＳＩＣ８は、エンジンＣＰＵ５の制御により、原稿画像データに対して所定の読取画像処理を施す。また、画像処理ＡＳＩＣ８は、エンジンＣＰＵ５の制御により、読取画像データや外部から受信した画像データを描画データに変換し、プロッタ２へ送出する。さらに、画像処理ＡＳＩＣ８は、後に詳述するように、印刷画像に対する加工線の追加に関する様々な処理を実行する。
【００１７】
ＤＤＲ９は、エンジンＣＰＵ５がエンジン制御などを実行するときに使用する作業用メモリである。
【００１８】
コントローラＣＰＵ１１は、画像処理装置全体の動作を制御する。コントローラＡＳＩＣ１０は、ファームウェア等のプログラムが格納されたＲＯＭを内蔵する。また、コントローラＡＳＩＣ１０は、コントローラＣＰＵ１１の制御により、入力された画像データに基づいて描画データを生成するための画像処理回路を内蔵する。また、コントローラＡＳＩＣ１０は、汎用インタフェースを備え、コントローラＣＰＵ１１の制御により、汎用インタフェースを介してコントローラ４と画像エンジン３との間の情報のやり取りを行う。ＤＤＲ１２は、コントローラＣＰＵ１１が情報を処理する際の作業領域として用いられる。
【００１９】
オペレーションパネル６は、液晶パネル、各種スイッチ、各種キーやボタンなどからなり、装置の状態表示、ユーザによる動作モードの選択、動作の開始／停止などを受け付けるユーザインタフェースである。
【００２０】
外部Ｉ／Ｆ７は、ＵＳＢ（Universal Serial Bus）機器やＳＤ（Secure Digital）メモリカードなどを接続するためのインタフェースである。外部Ｉ／Ｆ７は、画像データの入力、画像エンジン３およびコントローラ４のプログラムのアップデートなどに使用される。
【００２１】
〈画像処理装置の機能ブロック図〉
図２は、本発明の実施形態に係る画像処理装置の機能構成を示すブロック図である。なお、この機能構成は、図１に示すハードウェア構成において、コンピュータの演算装置であるエンジンＣＰＵ５、コントローラＣＰＵ１１が、それぞれＤＤＲ９、ＤＤＲ１２にロードされたプログラムに従って演算を行い、ハードウェアを制御することにより構成される。
【００２２】
図示のように、本発明の実施形態に係る画像処理装置は、画像読取部１０１、画像出力部１０２、操作部１０３、画像処理部１０４、画像制御部１０５を備えている。この図において、実線で示す本流画像パスは、画像読取部１０１で生成された読取画像データの経路である。また、一点鎖線で示す輪郭線画像パスは、読取画像データから抽出された輪郭線画像データの経路である。また、点線（破線）で示す制御線は、制御信号の伝送路である。
【００２３】
画像処理部１０４は、読取画像処理部１０６、輪郭線抽出部１０７、輪郭線画像格納部１０８、セレクタ１０９、書込み画像処理部１１０、輪郭線合成部１１１、およびセレクタ１１２を備えており、画像制御部１０５は、画像格納部１１３および画像処理部１１４を備えている。
【００２４】
画像読取部１０１は、読取スキャナ１に対応するものであり、読取原稿をスキャンする機能を搭載する。画像出力部１０２は、プロッタ２に対応するものであり、画像を用紙に印刷するとともに用紙の出力（排紙）機能を搭載する。また、加工線としての輪郭線を用紙の裏面に印刷するときは、読取画像データの印刷が完了し、加工線データとしての輪郭線画像データの転送開始が可能であることを画像処理部１０４に通知する。
【００２５】
操作部１０３は、オペレーションパネル６に対応するものであり、読取動作設定や加工線の印刷実施の有無などを本機能で設定する。
【００２６】
画像処理部１０４は、画像エンジン３に対応するものであり、読取画像処理機能（読取画像処理部１０６）、書込み画像処理機能（書込み画像処理部１１０）、輪郭線抽出機能（輪郭線抽出部１０７）などを搭載する。画像制御部１０５への画像転送は各色版＋輪郭線画像データで実施される。輪郭線画像データを転送しない場合は、各色版のみの転送となる。
【００２７】
画像制御部１０５は、読取画像データを格納する機能（画像格納部１１３）を持ち、画像の回転動作など、大容量のメモリが必要とされる画像処理機能（画像処理部１１４）を搭載する。本機能で画像処理を実施する場合は、画像処理部１０４からの輪郭線画像データも転送される。
【００２８】
読取画像処理部１０６は、画像処理ＡＳＩＣ８に対応するものであり、シェーディング補正や、スキャナガンマ補正、変倍処理など読取画像に関連する画像処理機能を搭載する。読取画像処理を実施した後は、通常の画像転送パス（本流画像パス）と輪郭線抽出用のパス（輪郭線画像パス）に分岐する。
【００２９】
加工線データ生成部としての輪郭線抽出部１０７は、画像処理ＡＳＩＣ８に対応するものであり、原稿画像の輪郭線抽出機能を搭載する。読取画像処理後の輪郭線を抽出し、加工線データとしての輪郭線画像データを生成する。なお、データ容量削減のため輪郭線画像データの階調を低くすることも可能である。また、輪郭線が定型の場合、印刷位置情報のみを転送することで、データ容量を削減することも可能である。
【００３０】
加工線データ格納部としての輪郭線画像格納部１０８は、ＤＤＲ９に対応するものであり、輪郭線抽出部１０７にて生成された輪郭線画像データを格納しておく機能を搭載する。画像制御部１０５にて画像処理を実施する場合は、画像格納部１１３に輪郭線画像データを格納するため使用しない。
【００３１】
画像格納部１１３は、ＤＤＲ１２に対応するものであり、読取画像処理部１０６で画像処理された読取画像データを格納する。画像制御部１０５で画像処理を実施する場合は輪郭線画像データもあわせて格納する。
【００３２】
画像処理部１１４は、コントローラＡＳＩＣ１０に対応するものであり、画像格納部１１３に格納された画像データに対して、回転処理など大容量のメモリを使用する画像処理を実施する。
【００３３】
セレクタ１０９は、画像処理ＡＳＩＣ８に対応するものであり、画像制御部１０５で画像処理を実施しない場合は輪郭線画像格納部１０８から出力された輪郭線画像データを選択し、画像制御部１０５で画像処理を実施する場合は画像制御部１０５から転送された輪郭線画像データを選択する。
【００３４】
書込み画像処理部１１０は、画像処理ＡＳＩＣ８に対応するものであり、画像制御部１０５から転送された読取画像データに対して、階調処理などに代表される書込み画像処理を実施する。輪郭線画像データに対しては画像処理を実施しない。
【００３５】
輪郭線合成部１１１は、画像処理ＡＳＩＣ８に対応するものであり、書込み画像処理を受けた読取画像データと、輪郭線画像データの合成を行う。本機能は原稿画像と輪郭線を用紙の同一面に印刷する時に実施され、裏面に輪郭線を印刷する時は使用しない。
【００３６】
セレクタ１１２は、画像処理ＡＳＩＣ８に対応するものであり、書込み画像処理後の読取画像データ、輪郭線画像データ、輪郭線画像データと読取画像データが合成された合成画像データを選択する。すなわち、原稿画像と輪郭線とを用紙の同一面に印刷する時は合成画像データを選択し、異なる面に印刷するとき（両面印刷時）は第一面（表面）印刷時に書込み画像処理後の読取画像データを選択し、第二面（裏面）印刷時に輪郭線画像データを選択する。
【００３７】
〈画像処理装置のコピー処理〉
図３は、本発明の実施形態に係る画像処理装置のコピー処理を示すフローチャートの一部であり、図４は、そのフローチャートの残りの部分である。これらの図を参照して、本発明の実施形態に係る画像処理装置のコピー処理動作について説明する。
【００３８】
《印刷モードの設定およびコピー指示》
まずユーザが操作部１０３により、印刷動作設定や加工線の印刷要否を設定し（ステップＳ１）、さらにコピー動作モードを設定する（ステップＳ２）。コピー動作モードの設定では、コピー実施時に必要な画像処理（拡大、縮小等）や印刷方式（片面印刷、両面印刷等）を設定する。
【００３９】
次に、ステップＳ１で設定された条件に基づいて、画像読取部１０１がコピー動作（原稿の読取）を実施し（ステップＳ３）、読取画像データに対して、読取画像処理部１０６が読取画像処理を実施する（ステップＳ４）。次いで、ステップＳ１で設定された条件に基づいて、加工線（ここでは輪郭線）の印刷を実施するか否かを判定する（ステップＳ５）。
【００４０】
以後の処理は、ステップＳ１で設定された条件により異なるので、以下、(i)加工線を印刷しない通常印刷モード、(ii)加工線と原稿画像を印刷する加工線印刷モード、(iii)加工線印刷モードのうち、加工線と原稿画像を用紙の同一面に印刷する加工線片面印刷モード、(iv)加工線印刷モードのうち、加工線と原稿画像を用紙の異なる面に印刷する加工線両面印刷モードの順に説明する。
【００４１】
《通常印刷モード》
ステップＳ５でNoと判定し、ステップＳ６に進む。このステップＳ６では、読取画像処理を受けた読取画像データを画像制御部１０５に転送する。転送は版毎ごとに実施され、画像制御部１０５内の画像格納部１１３に格納される。
【００４２】
次に、格納された読取画像データに対して画像制御部１０５で画像処理（画像加工）を実施するか否かを判定する（ステップＳ７）。画像加工を実施する場合（ステップＳ７：Yes）、画像処理部１１４が読取画像データに対して画像処理を実施する(ステップＳ８)。
【００４３】
次に、画像処理を受けた読取画像データを画像処理部１０４に転送する（ステップＳ９：画像引出実施）。このとき、画像制御部１０５で画像処理を実施しない場合は、画像格納部１１３に格納された読取画像データをそのまま転送する（ステップＳ７：No→ステップＳ９）。
【００４４】
画像制御部１０５より転送されてきた読取画像データは、セレクタ１０９を通って書込み画像処理部１１０に入力され、書込み画像処理を受ける（ステップＳ１０）。書込み画像処理を受けた読取画像データは、セレクタ１１２を通り、画像出力部１０２に送出されることで、転写紙（用紙）に印刷され（ステップＳ２５）、画像が印刷された転写紙の排紙が行われ（ステップＳ３３：印刷画像出力）、通常印刷モードのコピー処理が終了する。
【００４５】
《加工線印刷モード》
ステップＳ５でYesと判定し、ステップＳ１１およびＳ１２に進む。ステップＳ１１では、ステップＳ６と同様に、読取画像データを画像制御部１０５に転送し、画像格納部１１３に格納する。輪郭線画像データも画像制御部１０５に転送する場合、輪郭線抽出処理の遅延調整を実施する。この処理は、ステップＳ１２〜Ｓ１５の処理と並行して実施する。
【００４６】
ここで、輪郭線画像データも画像制御部１０５に転送するか否かは、画像制御部１０５内の画像処理部１１４において、読取画像の輪郭線が変化する画像処理（拡大、縮小、回転など）がステップＳ２（コピー動作モード設定）で設定されたか否かに基づいて決定する。
【００４７】
ステップＳ１２では、読取画像処理を受けた読取画像データに対して、輪郭線抽出部１０７が輪郭線抽出処理を実施する。読取画像が定型サイズのものなど、予め印刷位置が判明している場合は、印刷位置データを輪郭線画像データとして扱う（具体例を後述）。
【００４８】
次に、画像制御部１０５で画像処理（画像加工）を実施するか否かを判定する（ステップＳ１３）。判定の結果、画像制御部１０５で画像処理を実施する場合（ステップＳ１３：Yes）、抽出した輪郭線画像データも画像制御部１０５へ転送し、画像格納部１１３に格納する（ステップＳ１４）。一方、画像制御部１０５で画像処理を実施しない場合は（ステップＳ１３：No）、画像処理部１０４内の輪郭線画像格納部１０８に輪郭線画像データを格納する（ステップＳ１５）。
【００４９】
次に、加工線を原稿画像と同一面に印刷するか、異なる面（裏面）に印刷するかの判断を行う（ステップＳ１６）。以下、同一面に印刷する場合（ステップＳ１６：Yesの場合。以下、加工線片面印刷モード。）と、裏面に印刷する場合（ステップＳ１６：Noの場合。以下、加工線両面印刷モード。）について順番に説明する。
【００５０】
《加工線片面印刷モード》
画像制御部１０５で画像処理（画像加工）を実施するか否かの判断を行う（ステップＳ１７）。この判断は、輪郭線画像データが画像処理部１０４に格納されているか、画像制御部１０５に格納されているかに基づいて行う。
【００５１】
判断の結果、画像制御部１０５で画像処理（画像加工）を実施しない場合（ステップＳ１７：No）、すなわち、画像処理部１０４に輪郭線画像データが格納されている場合、画像処理部１０４に格納されている輪郭線画像データの転送を開始する（ステップＳ１８：画像引出実施）。画像制御部１０５から転送されてくる読取画像データは書込画像処理を実施する必要があるため、同タイミングで輪郭線画像データの転送を開始すると副走査方向にずれが生じる。そこで、書込み画像処理に必要なライン数分画像転送を遅延させる（ステップＳ１９）。
【００５２】
画像制御部１０５から読取画像データの転送を開始する（ステップＳ２０:画像引出実施）。次に、画像制御部１０５から転送されてきた読取画像データに対して、書込み画像処理部１１０が書込み画像処理を実施する（ステップＳ２１）。ステップＳ１８〜Ｓ１９の処理とステップＳ２０〜Ｓ２１の処理は並列で実施される
【００５３】
画像制御部１０５で画像処理（画像加工）を実施する場合（ステップＳ１７：Yes）、すなわち、画像制御部１０５に輪郭線画像が格納されている場合は、読取画像データと輪郭線画像データを同時に画像処理部１０４へ転送する（ステップＳ２２：画像引出実施）。画像処理部１０４では、画像制御部１０５から転送された読取画像データに対して、書込み画像処理部１１０が書込み画像処理を実施する（ステップＳ２３）。輪郭線画像データに対しては、ステップＳ１９と同様に副走査方向に対してタイミング調整を実施する。
【００５４】
画像制御部１０５で画像処理（画像加工）を実施しない場合は（ステップＳ１７：No）、ステップＳ１９およびステップＳ２１の後、画像制御部１０５で画像処理（画像加工）を実施する場合は（ステップＳ１７：Yes）、ステップＳ２３の後、輪郭線合成部１１１が読取画像データと輪郭線画像データの合成を実施する（ステップＳ２４）。
【００５５】
次に、ステップＳ２４で生成された合成画像データを画像出力部１０２が転写紙に印刷し（ステップＳ２５）、転写紙を排紙して（ステップＳ３３）、加工線片面印刷モードのコピー処理が終了する。
【００５６】
《加工線両面印刷モード》
まず、ステップＳ２０と同様に、画像制御部１０５から画像処理部１０４に対して読取画像データの転送を実施し（ステップＳ２６：画像引出実施）、次に、転送されてきた読取画像データに書込み画像処理を実施する（ステップＳ２７）。次いで、書込み画像処理を実施した読取画像データを転写紙（用紙）の第１面としての表面に印刷する（ステップＳ２８）。このモードでは、輪郭線合成部１１１に供給するクロックを停止し、消費電力を低減することができる。
【００５７】
次に、ステップＳ１７と同様に、画像制御部１０５で画像処理（画像加工）を実施するかの判断を行う（ステップＳ２９）。この判断も輪郭線画像データが画像処理部１０４に格納されているか、画像制御部１０５に格納されているかに基づいて行う。
【００５８】
判断の結果、画像制御部１０５で画像処理（画像加工）を実施しない場合（ステップＳ２９：No）、すなわち、輪郭線画像データが画像処理部１０４に格納されている場合は、画像処理部１０４に格納されている輪郭線画像データを裏面印刷用の画像データとして転送する（ステップＳ３０：画像引出実施）。
【００５９】
一方、画像制御部１０５で画像処理（画像加工）を実施する場合（ステップＳ２９：Yes）、すなわち、輪郭線画像データが画像制御部１０５に格納されている場合は、画像制御部１０５に格納されている輪郭線画像データを裏面印刷用の画像データとして転送する（ステップＳ３１：画像引出実施）。
【００６０】
ステップＳ３０またはＳ３１を実行した後、輪郭線画像データを転写紙（用紙）の第２面としての裏面に印刷する。転写紙搬送の構造によっては、裏面は表面と上下反転する場合があるので、その場合は反転して印刷する。最後に、印刷が完了した転写紙を排紙する（ステップＳ３３）。
【００６１】
〈コピー対象の原稿、加工線、コピー結果〉
図５は、コピー対象の原稿の一例を示す図である。図示のように、原稿２０１上に菱形の原稿画像２０２がある。
【００６２】
図６は、図５に示す原稿画像２０２に対応する加工線の一例を示す図である。ここでは、原稿画像２０２の輪郭線２０３を加工線とした。
【００６３】
図７は、図５に示す原稿をコピーした時に印刷される画像および加工線の例を示す図である。ここで、図７Ａは、上述した加工線片面印刷モードでコピーしたときの用紙を示す。また、図７Ｂ、図７Ｃは、それぞれ上述した加工線両面印刷モードでコピーしたときの用紙の表面、裏面を示す。
【００６４】
図７Ａでは、原稿画像２０２に対応する印刷画像（以下、原稿画像に対応する印刷画像を原稿印刷画像という。）３０２と、輪郭線２０３に対応する印刷画像（以下、輪郭線の印刷画像を輪郭線印刷画像という。）３０３とが用紙３０１の表面に印刷されている。また、図７Ｂでは、原稿印刷画像３０２が用紙の表面３０１ａに印刷されており、図７Ｃでは、輪郭線印刷画像３０３が用紙の裏面３０１ｂに印刷されている。
【００６５】
〈加工線印刷モード実行時の読取画像データおよび輪郭線画像データの流れ〉
次に、本発明の実施形態に係る画像処理装置が加工線印刷モードで図５に示す原稿２０１をコピーするときの読取画像データおよび輪郭線画像データの流れについて、(i)輪郭線画像データを画像処理部１０４に格納し、片面印刷モードでコピーするとき、(ii)輪郭線画像データを画像処理部１０４に格納し、両面印刷モードでコピーするとき、(iii)輪郭線画像データを画像制御部１０５に格納し、片面印刷モードでコピーするとき、(iv)輪郭線画像データを画像制御部１０５に格納し、両面印刷モードでコピーするとき、の４種類のユースケースの順に説明する。
【００６６】
《輪郭線画像データを画像処理部１０４に格納し、片面印刷モードでコピーするとき》
図８は、このコピー動作を行う場合の画像データ（読取画像データ、輪郭線画像データ）の流れを示す図であり、図９は、図８に示す場合の画像データのタイミングチャートである。
【００６７】
図８において、実線の本流画像パス、一点鎖線の輪郭線画像パス、点線（破線）の合成画像パスは、それぞれ読取画像データ、輪郭線画像データ、合成画像データ（読取画像データ＋輪郭線画像データ）の流れを示す。
【００６８】
このユースケースでは、読取画像データ４０１は画像制御部１０５内の画像格納部１１３に格納され、輪郭線画像データ４０２は画像処理部１０４内の輪郭線画像格納部１０８に格納される。
【００６９】
画像読取部１０１によって読み取った読取画像データ（図９の入力画像)における原稿画像２０２に対応する部分（図９の有効画像）に対して、読取画像処理部１０６が読取画像処理(図９の読取画像処理画像)を実施する。その後、画像制御部１０５へ転送する本流画像パスと、輪郭線抽出用の輪郭線画像パスに分岐する。本流画像パスを通して読取画像データをそのまま画像制御部１０５へ転送する(図９の画像制御部格納)。また、輪郭線画像パスでは、輪郭線抽出部１０７で読取画像データから輪郭線を抽出して輪郭線画像データを生成し（図９の輪郭線データ抽出）、輪郭線画像格納部１０８に格納する。なお、図示を省略したが、輪郭線画像データの格納は、抽出の次のライン同期信号（lsync）のタイミングで実施する。
【００７０】
読取画像データに対しては、画像制御部１０５経由で書込み画像処理を実施するため（図９の書込み画像処理画像）、輪郭線画像データをすぐに転送すると、書込み画像処理が完了するタイミングと副走査方向にずれが生じてしまう。しかし、この遅延量は既知の値となるため、所定のタイミングで輪郭線画像データの転送を開始すれば（図９の輪郭線データ読み出し）、書込み画像処理後の読取画像データと、輪郭線画像データの間で副走査方向のずれは発生しない。
【００７１】
その後、書込み画像処理部１１０で書込み画像処理を受けた後の読取画像データと輪郭線画像データとの合成画像データ４０３を輪郭線合成部１１１で生成し（図９の輪郭線データ合成）、その合成画像データ４０３を画像出力部１０２へ出力し、印刷を実施する。
【００７２】
以上の処理により、原稿２０１上の原稿画像２０２に対応する原稿印刷画像３０２と、輪郭線印刷画像３０３とが用紙３０１の表面に印刷される。
【００７３】
《輪郭線画像データを画像処理部１０４に格納し、両面印刷モードでコピーするとき》
図１０は、このコピー動作を行う場合の画像データ（読取画像データ、輪郭線画像データ）の流れを示す図であり、図１１は、図１０に示す場合の画像データのタイミングチャートである。
【００７４】
基本的な動作は、前述の“輪郭線画像データを画像処理部１０４に格納し、片面印刷モードでコピーするとき”（図８、図９）と同様である。ただし、原稿印刷画像３０２を用紙の表面３０１ａに印刷した後に輪郭線印刷画像３０３を用紙の裏面３０１ｂに印刷するため、画像処理部１０４に格納されている輪郭線画像データ４０２の転送開始タイミング（図１１の輪郭線データ読み出し）が、原稿印刷画像３０２を用紙の表面３０１ａに印刷し終わったタイミング（図１１の表面印刷）となる。
【００７５】
その後、輪郭線画像データにより、用紙の裏面３０１ｂへの輪郭線印刷画像３０３の印刷が行われる（図１１の裏面印刷）。なお、画像出力部１０２の紙搬送経路によっては、用紙の上下が表裏で入れ替わる場合がある。その場合は輪郭線画像データ４０２と読取画像データ４０１の転送順序を逆にして実施する。
【００７６】
《輪郭線画像データを画像制御部１０５に格納し、片面印刷モードでコピーするとき》
図１２は、このコピー動作を行う場合の画像データ（読取画像データ、輪郭線画像データ）の流れを示す図であり、図１３は、図１２に示す場合の画像データのタイミングチャートである。
【００７７】
このユースケースでは、読取画像データ４０１、輪郭線画像データ４０２ともに画像制御部１０５に格納される。画像制御部１０５内では読取画像データの回転などの処理を実施する場合があるため、輪郭線画像データも同様の処理を実施しないと、原稿印刷画像３０２と輪郭線印刷画像３０３にずれが生じてしまうため、両方を画像制御部１０５に格納し、画像処理を実施する。
【００７８】
画像データの転送に関しては、読取画像データの各版（例としてはＲＧＢ版）に加え、輪郭線画像データの版を追加し、画像データ転送を実施する。転送タイミングについては、輪郭線抽出処理の遅延があるため（図１３の輪郭線データ抽出）、読取画像データ版と輪郭線画像データ版にずれが生じてしまう（図１３の画像制御部格納、輪郭線データ画像制御部格納）。しかし、画像制御部１０５内の画像格納部１１３から読み出す際にその差分を調整するため（図１３の画像データ読み出し・画像処理、輪郭線データ読み出し）、画像制御部１０５内の画像処理部１１４への入力時にはズレは生じない。
【００７９】
読取画像データと輪郭線画像データの合成（図１３の輪郭線データ合成）に関しては、前述の“輪郭線画像データを画像処理部１０４に格納し、片面印刷モードでコピーするとき”（図８、図９）と同様である。
【００８０】
《輪郭線画像データを画像制御部１０５に格納し、両面印刷モードでコピーするとき》
図１４は、このコピー動作を行う場合の画像データ（読取画像データ、輪郭線画像データ）の流れを示す図であり、図１５は、図１４に示す場合の画像データのタイミングチャートである。
【００８１】
基本的な動作は“輪郭線画像データを画像制御部１０５に格納し、片面印刷モードでコピーするとき”（図１２、図１３）と同様になる。ただし、本ケースでは、“輪郭線画像データを画像処理部１０４に格納し、両面印刷モードでコピーするとき”（図１０、図１１）と同様に、原稿印刷画像３０２を用紙の表面３０１ａに印刷した後に輪郭線印刷画像３０３を用紙の裏面３０１ｂに印刷するため、読取画像データ４０１を表面に印刷し終わってから（図１５の表面印刷）、画像制御部１０５に格納されている輪郭線画像データ４０２の転送を開始する（図１５の輪郭線データ読み出し）。
【００８２】
〈輪郭線画像データ容量削減について〉
用紙に印刷する加工線には、色彩、画質などは基本的に求められていない。したがって、輪郭線画像データについては、階調や解像度などを落としてデータを格納することで、画像データの容量を低減することができる。
〈定型サイズの印刷〉
図１６は、定型サイズの印刷を行う際の輪郭線画像データの処理について説明するための図である。
【００８３】
免許証のコピーなど、必ず印刷箇所が決まっている、かつ定型サイズ（特定の形状とサイズ）の印刷を実施する場合は、輪郭線画像データとして、印刷する位置情報（起点の情報：印刷開始位置情報）とサイズを格納することで、輪郭線画像データの容量を軽減することができる。
【００８４】
図１６の場合、用紙３１０に対する表面印刷画像３１１の起点位置情報３１２およびサイズ情報と、裏面印刷画像３１３の起点位置情報３１４およびサイズ情報を格納することで、データの容量を削減する。輪郭線の印刷は、起点の位置情報からサイズ分の線を印刷することで実施する。
【００８５】
以上詳細に説明したように、本発明の実施形態に係る画像処理装置によれば、原稿コピー動作時に、原稿の読取画像データから輪郭線データを抽出して輪郭線画像データを生成し、書込み動作時に、輪郭線画像データを読取画像データと合成して用紙の同一面に印刷したり、輪郭線画像データと読取画像データとを別々に用紙の異なる面に印刷したりすることができる。したがって、コピー動作時に、印刷画像の形状に合った加工線をユーザの手作業なしに、元画像と同時または別々に印刷することができる。
【符号の説明】
【００８６】
１０１…画像読取部、１０２…画像出力部、１０７…輪郭線抽出部、１０８…輪郭線画像格納部、１１１…輪郭線合成部、２０１…原稿、２０２…原稿画像、２０３…輪郭線、３０１，３１０…用紙、３０１ａ…用紙の表面、３０１ｂ…用紙の裏面、３０２…原稿印刷画像、３０３…輪郭線印刷画像、４０１…読取画像データ、４０２…輪郭線画像データ、４０３…合成画像データ。
【先行技術文献】
【特許文献】
【００８７】
【特許文献１】特開２００９−２８８９４３号公報
【図１】
2016174308.tif 000003
【図２】
2016174308.tif 000004
【図３】
2016174308.tif 000005
【図４】
2016174308.tif 000006
【図５】
2016174308.tif 000007
【図６】
2016174308.tif 000008
【図７】
2016174308.tif 000009
【図８】
2016174308.tif 000010
【図９】
2016174308.tif 000011
【図１０】
2016174308.tif 000012
【図１１】
2016174308.tif 000013
【図１２】
2016174308.tif 000014
【図１３】
2016174308.tif 000015
【図１４】
2016174308.tif 000016
【図１５】
2016174308.tif 000017
【図１６】
2016174308.tif 000018